(57)【要約】【課題】多様なゲーム内容を簡単に実現する。【解決手段】ゲーム機本体１１と、カードリーダ２１とを組み合わせ、ゲーム機本体１１は、カードリーダ２１からのＩＣカードＣＤの記憶データによって作動する。【選択図】図１
2006289114.tif 000002
【特許請求の範囲】
【請求項１】
ゲーム機本体と、マイクロコンピュータ、不揮発性メモリを内蔵するＩＣカードの記憶データを非接触式の接続通信ユニットによって読み取るカードリーダとを備えてなり、該カードリーダは、前記ゲーム機本体に組み込み、該ゲーム機本体は、前記カードリーダからのＩＣカードの記憶データによって作動し、ＩＣカードの記憶データに基づくゲーム内容をテレビ装置に表示することを特徴とするゲーム装置。
【請求項２】
前記ゲーム機本体は、複数の前記カードリーダを有し、複数のＩＣカードの記憶データによって作動することを特徴とする請求項１記載のゲーム装置。
【発明の詳細な説明】
【技術分野】
【０００１】
この発明は、ゲーム内容の多様なバリエーションを楽しむことができるゲーム装置に関する。
【背景技術】
【０００２】
テレビ装置を介してテレビゲームを楽しむことができる家庭用のゲーム装置が知られている。
【０００３】
このものは、ゲーム機本体にコントローラを付属させて構成されている。そこで、このものは、ゲーム機本体に専用のソフトカートリッジを装着することにより、ソフトカートリッジのソフトデータに従って作動し、ソフトカートリッジのゲーム内容をテレビ装置に表示しながら、コントローラを操作してゲーム内容を楽しむことができる。
【発明の開示】
【発明が解決しようとする課題】
【０００４】
かかる従来技術によるときは、ゲーム機本体は、ソフトカートリッジのソフトデータに従って作動するだけであるから、ソフトデータに含まれるゲーム内容のストーリやキャラクタ、音響効果、配色、難易度等を全く変更することができず、ソフトカートリッジによってゲーム内容が一律に固定されてしまい、使用者の使用目的、使用レベル等に合わせてゲーム内容を修正することが全くできないという問題があった。
【０００５】
そこで、この発明の目的は、かかる従来技術の問題に鑑み、ゲーム機本体と、ＩＣカードの記憶データを読み取るカードリーダとを組み合わせることによって、多様なゲーム内容を簡単に楽しむことができるゲーム装置を提供することにある。
【課題を解決するための手段】
【０００６】
かかる目的を達成するためのこの発明の構成は、ゲーム機本体と、マイクロコンピュータ、不揮発性メモリを内蔵するＩＣカードの記憶データを非接触式の接続通信ユニットによって読み取るカードリーダとを備えてなり、カードリーダは、ゲーム機本体に組み込み、ゲーム機本体は、カードリーダからのＩＣカードの記憶データによって作動し、ＩＣカードの記憶データに基づくゲーム内容をテレビ装置に表示することをその要旨とする。
【０００７】
なお、ゲーム機本体は、複数のカードリーダを有し、複数のＩＣカードの記憶データによって作動することができる。
【発明の効果】
【０００８】
かかる発明の構成によるときは、ゲーム機本体は、カードリーダからのＩＣカードの記憶データによって作動するから、ＩＣカードを介してゲーム内容のバリエーションを数多く作り出すことができる。すなわち、この発明によれば、ゲーム機本体と、カードリーダとを組み合わせることによって、カードリーダは、ＩＣカードの記憶データを読み取り、ゲーム機本体は、カードリーダからのＩＣカードの記憶データによって作動するから、多様なゲーム内容を簡単に楽しむことができる。
【０００９】
ゲーム機本体に複数のカードリーダを組み込むときは、ゲーム機本体は、任意のカードリーダからのＩＣカードの記憶データをゲーム用のソフトデータとして使用し、他のカードリーダからのＩＣカードの記憶データによりゲーム内容のストーリやキャラクタ、音響効果、配色、難易度等を修正し、修正されたソフトデータに従って作動させることができる。
【発明を実施するための最良の形態】
【００１０】
以下、図面を以って発明の実施の形態を説明する。
【００１１】
ゲーム装置は、ゲーム機本体１１と、カードリーダ２１とを備えてなる（図１、図２）。
【００１２】
ゲーム機本体１１は、小形のマイクロコンピュータを内蔵している。ゲーム機本体１１の上面には、図示しない多数の接点を有する差込み口１１ａが形成されており、電源スイッチ１１ｂが組み付けられている。ゲーム機本体１１には、ケーブル１１ｃ1 、１１ｃ1 を介してコントローラ１１ｃ、１１ｃが個別に付属されており、ゲーム機本体１１は、ビデオ用のケーブル１１ｄ1 、左右のオーディオ用のケーブル１１ｄ2 、１１ｄ3 を介してテレビ装置ＴＶに接続されている。また、ゲーム機本体１１は、図示しないコンセントを介して商用電源に接続可能である。
【００１３】
カードリーダ２１は、ソフトカートリッジ１２に組み込まれている。ソフトカートリッジ１２は、半導体ＲＯＭ等の任意の記憶媒体を介し、ゲーム内容を規定するソフトデータＤ1 を記憶している。ソフトカートリッジ１２は、ゲーム機本体１１の差込み口１１ａに挿入可能な箱形に形成されており、差込み口１１ａの接点に接続する図示しない接点が付設されている。そこで、ソフトカートリッジ１２は、差込み口１１ａに挿入してゲーム機本体１１に実装することにより、ソフトデータＤ1 をゲーム機本体１１に出力することができる。また、ゲーム機本体１１は、ソフトデータＤ1 によって作動し、コントローラ１１ｃ、１１ｃを介し、ソフトデータＤ1 に基づくゲーム内容をテレビ装置ＴＶに表示し、効果音を発生させることができる。
【００１４】
カードリーダ２１には、ＩＣカードＣＤを挿入するスリット２１ａが形成されており、スリット２１ａ内には、ＩＣカードＣＤの記憶データＤ2 を読み取る接触式または非接触式の接続通信ユニットが組み込まれている。各ＩＣカードＣＤは、マイクロコンピュータと不揮発性メモリとを内蔵するメモリカードであり、ソフトカートリッジ１２のソフトデータＤ1 のストーリやキャラクタ、音響効果、配色等を変更修正するための記憶データＤ2 が記憶されている。
【００１５】
そこで、カードリーダ２１は、特定のＩＣカードＣＤをスリット２１ａに差し込むことにより、ＩＣカードＣＤの記憶データＤ2 を読み取り、ソフトカートリッジ１２を介してゲーム機本体１１に出力することができる。また、ゲーム機本体１１は、カードリーダ２１からのＩＣカードＣＤの記憶データＤ2 によってソフトカートリッジ１２からのソフトデータＤ1 を修正し、修正したソフトデータＤ1 によって作動してテレビ装置ＴＶに表示することができる。なお、使用者は、ＩＣカードＣＤを選択することにより、ソフトカートリッジ１２のソフトデータＤ1 に基づくゲーム内容を任意に修正し、ゲーム内容の多様なバリエーションを楽しむことができる。
【００１６】
以上の説明において、カードリーダ２１は、ＩＣカードＣＤの記憶データＤ2 をソフトカートリッジ１２に出力し、ソフトカートリッジ１２は、ＩＣカードＣＤの記憶データＤ2 に従ってソフトデータＤ1 を修正し、修正したソフトデータＤ1 をゲーム機本体１１に出力してもよい。
【他の実施の形態】
【００１７】
カードリーダ２１は、ゲーム機本体１１に組み込んでもよい（図２）。ゲーム機本体１１は、差込み口１１ａを介してソフトカートリッジ１２を実装することができ、カードリーダ２１は、ＩＣカードＣＤの記憶データＤ2 を読み取ってゲーム機本体１１内のマイクロコンピュータに出力することができる。ゲーム機本体１１は、ＩＣカードＣＤの記憶データＤ2 に従ってソフトカートリッジ１２のソフトデータＤ1 を修正し、修正したソフトデータＤ1 に従って作動することができる。
【００１８】
カードリーダ２１は、コード２１ｂを介してゲーム機本体１１に外付けしてもよい（図４）。すなわち、カードリーダ２１は、ソフトカートリッジ１２のゲーム内容を変更するために、ゲーム機本体１１に設けるシステムアップ用の付属品とすることができる。
【００１９】
以上の説明において、ゲーム機本体１１は、ソフトカートリッジ１２を使用せず、カードリーダ２１を介して読み取るＩＣカードＣＤの記憶データＤ2 のみによって作動させてもよい。また、このときのゲーム機本体１１は、複数のカードリーダ２１、２１…を有し、複数のＩＣカードＣＤ、ＣＤ…からの記憶データＤ2 、Ｄ2 …によって作動させてもよい。
【図面の簡単な説明】
【００２０】
【図１】要部構成斜視説明図
【図２】全体ブロック系統図
【図３】他の実施の形態を示す図１相当図（１）
【図４】他の実施の形態を示す図１相当図（２）
【符号の説明】
【００２１】
ＣＤ…ＩＣカード
Ｄ1 …ソフトデータ
Ｄ2 …記憶データ
１１…ゲーム機本体
１２…ソフトカートリッジ
２１…カードリーダ
特許出願人                      杉  村  詩  朗
山  田  愼  一  郎
株式会社  エフ・イー・シー
レクストン株式会社
代理人  弁理士                  松  田  忠  秋
【図１】
2006289114.tif 000003
【図２】
2006289114.tif 000004
【図３】
2006289114.tif 000005
【図４】
2006289114.tif 000006